(57)【要約】【課題】インデックスシート等を要さずに、複数セットの原稿からなる１つの原稿束から画像を読み取り、得られた画像データを、セット毎に処理することのできる画像処理装置を提供する。【解決手段】原稿から得られた画像データ中に、基準データＡと同一の画像があれば、その画像に対応する原稿を表紙として画像データを区切って、３つのファイルＦ１〜Ｆ３を作成する。【選択図】図５
2010034734.tif 000002
【特許請求の範囲】
【請求項１】
原稿から画像を読み取って画像データを得る画像読取部と、
複数の原稿を上記画像読取部へ連続して搬送可能な原稿搬送部と、
各原稿から得られた画像データを基準データと比較する比較部と、
上記読取部が連続で読み取った複数の原稿のうち、上記基準データと所定の同一性を有する原稿を表紙原稿とし、上記表紙原稿より前の原稿と上記表紙原稿以後の原稿とを、別のジョブとして処理するジョブ実行部と、
を備える画像処理装置。
【請求項２】
上記ジョブ実行部は、１つのジョブとして処理される原稿の画像データから、１つのデータファイルを作成するファイル作成部を備える、
請求項１に記載の画像処理装置。
【請求項３】
上記ジョブ実行部は、上記データファイルを記憶可能なファイル記憶部をさらに備える、
請求項２に記載の画像処理装置。
【請求項４】
上記ジョブ実行部は、上記データファイルを外部装置に送信可能なファイル送信部をさらに備える、
請求項２又は３に記載の画像処理装置。
【請求項５】
上記ジョブ実行部は、
上記画像データに基づいて、画像を用紙上に印刷する印刷部と、
上記印刷部を制御して、ジョブ毎に印刷条件を変えることのできる画像形成制御部と、
を備える請求項１〜４のいずれか１項に記載の画像処理装置。
【請求項６】
上記比較部は、上記読取部が連続で読み取った上記複数の原稿のうちの他の原稿の画像データを、上記基準データとするようになっている、
請求項１〜５のいずれか１項に記載の画像処理装置。
【請求項７】
上記比較部は、上記読取部が連続で読み取った上記複数の原稿のうち最初の原稿の画像データを、上記基準データとするようになっている、
請求項６に記載の画像読取装置。
【請求項８】
上記ジョブ実行部は、上記読取部が連続で読み取った上記複数の原稿のうち、互いに所定の同一性を有する原稿の組合せが複数あるときは、少なくとも１つの組合せに含まれる原稿を表紙原稿とするようになっている、
請求項６に記載の画像処理装置。
【請求項９】
上記比較部は、上記複数の原稿から上記読取部が取得した画像データ以外に、予め設定されている画像データを、上記基準データとするようになっている、
請求項１〜５のいずれか１項に記載の画像処理装置。
【発明の詳細な説明】
【技術分野】
【０００１】
本発明は、原稿から画像データを取得して、この画像データを処理する画像処理装置に関する。
【背景技術】
【０００２】
従来、画像読取装置や複写機等の画像処理装置において、自動原稿搬送装置を用いる等して複数頁の原稿を連続して読み取った場合、得られた画像データは、全体が１つのジョブとして処理される。つまり、これらの画像処理装置では、連続読取によって得られた画像データは、全体が１つのファイルとして保存されるし、１セットの複写物に印刷される。よって、複数セットの原稿を１つの原稿束として連続読取し、得られた画像データから、各セットの原稿に対応する画像データを別個のファイルとして保存したり、別個の印刷物として印刷したりすることはできず、これを実現するには、ユーザ自らが１の原稿束を原稿セット毎に別個の原稿束に分けて、これらの原稿束を別々に画像処理装置に読み取らせる必要がある。
【０００３】
これに対して、画像処理装置において、複数の原稿セットを含む１つの原稿束を、連続して読み取ることのできる技術が、特許文献１及び２に記載されている。
【０００４】
特許文献１の複写機は、ユーザにより原稿セット間に挿入されたインデックスシートを認識するインデックス認識手段を備え、上記インデックスシートの次の原稿をジョブの先頭頁とすることで、複数セットの原稿を一括して読み取り、各セットを別個のジョブとして処理することができるようになっている。
【０００５】
また、特許文献２の複合機は、角折れを認識する原稿識別部を備えることで、角折れのある原稿をジョブの切り換わりとすることができる。この技術では、ユーザはジョブの境界の原稿の角を折っておけばよい。
【特許文献１】特開２００１‐１１９５４０号公報
【特許文献２】特開２００４‐６４４３７号公報
【発明の開示】
【発明が解決しようとする課題】
【０００６】
特許文献１の技術では、インデックスシートを挿入するという手間がかかる。また、特許文献２の技術では、折ることによって原稿を傷めるという問題がある。
【０００７】
そこで、本発明は、インデックスシートの挿入を要さず、かつ原稿を傷めずに、複数セットの原稿からなる原稿束を連続で読み取って得た画像データを、原稿セット毎に処理することのできる画像処理装置を提供することを目的とする。
【課題を解決するための手段】
【０００８】
請求項１の画像処理装置は、原稿から画像を読み取って画像データを得る画像読取部と、複数の原稿を上記画像読取部へ連続して搬送可能な原稿搬送部と、各原稿から得られた画像データを基準データと比較する比較部と、上記読取部が連続で読み取った複数の原稿のうち、上記基準データと所定の同一性を有する原稿を表紙原稿とし、上記表紙原稿より前の原稿と上記表紙原稿以後の原稿とを、別のジョブとして処理するジョブ実行部と、を備える。
【０００９】
原稿セットの表紙は、一定の特徴を有することがある。この画像処理装置は、連続して読み取った複数の原稿のうち、基準データと所定の同一性を有する原稿を表紙原稿として、複数の原稿を、表紙原稿を境に別々のジョブとして処理することができる。それゆえ、ユーザにインデックスシートの挿入を要求することなく、また原稿を傷めることもなく、原稿セット毎の処理を可能とする。
【００１０】
請求項２に記載するように、請求項１の画像処理装置において、上記ジョブ実行部は、１つのジョブとして処理される原稿の画像データから、１つのデータファイルを作成するファイル作成部を備えてもよい。
【００１１】
また、請求項３に記載するように、請求項２の画像処理装置において、上記ジョブ実行部は、上記データファイルを記憶可能なファイル記憶部をさらに備えてもよい。
【００１２】
また、請求項４に記載するように、請求項２又は３の画像処理装置において、上記ジョブ実行部は、上記データファイルを外部装置に送信可能なファイル送信部をさらに備えてもよい。
【００１３】
また、請求項５に記載するように、請求項１〜４のいずれか１項の画像処理装置において、上記ジョブ実行部は、上記画像データに基づいて、画像を用紙上に印刷する印刷部と、上記印刷部を制御して、ジョブ毎に印刷条件を変えることのできる画像形成制御部と、
を備えてもよい。
【００１４】
また、請求項６に記載するように、請求項１〜５のいずれか１項の画像処理装置において、上記比較部は、上記読取部が連続で読み取った上記複数の原稿のうちの他の原稿の画像データを、上記基準データとするようになっていてもよい。
【００１５】
また、請求項７に記載するように、請求項６の画像処理装置において、上記比較部は、上記読取部が連続で読み取った上記複数の原稿のうち最初の原稿の画像データを、上記基準データとするようになっていてもよい。
【００１６】
また、請求項８に記載するように、請求項６の画像処理装置において、上記ジョブ実行部は、上記読取部が連続で読み取った上記複数の原稿のうち、互いに所定の同一性を有する原稿の組合せが複数あるときは、少なくとも１つの組合せに含まれる原稿を表紙原稿とするようになっていてもよい。
【００１７】
また、請求項９に記載するように、請求項１〜５のいずれか１項載の画像処理装置において、上記比較部は、上記複数の原稿から上記読取部が取得した画像データ以外に、予め設定されている画像データを、上記基準データとするようになっていてもよい。
【発明の効果】
【００１８】
本発明の画像処理装置は、連続して読み取った複数の原稿のうち、基準データと所定の同一性を有する原稿を表紙原稿として、複数の原稿を、表紙原稿を境に別々のジョブとして処理することができる。それゆえ、ユーザにインデックスシートの挿入を要求することなく、また原稿を傷めることもなく、原稿セット毎の処理を可能とする。
【発明を実施するための最良の形態】
【００１９】
〔１〕第１実施形態
（1-1）複合機１
本発明の実施の一形態である複合機１の概要について、図１を参照して説明する。図１は、複合機１の要部構成を示すブロック図である。
【００２０】
図１に示すように、複合機１は、原稿搬送部１１、画像読取部１２、画像形成部１３、フィニッシャ１４、通信部１５、操作パネル１６、画像処理部１７、記憶装置１８、及び制御装置１９を備える。
【００２１】
原稿搬送部１１は、自動原稿搬送装置であり、原稿束が載置される原稿載置トレイと、原稿が排出される原稿排出トレイと、原稿束から原稿を１枚ずつ引き出して、画像読取部１２を経て原稿排出トレイまで搬送する各種ローラと、これらのローラを回転駆動する駆動機構と、を備える。原稿搬送部１１は、原稿載置トレイ上に原稿が載せられたことを検知する原稿センサが設けられている。
【００２２】
画像読取部１２は、光源と、ミラー及びレンズ等の光学部材と、ＣＣＤ等のイメージセンサと、を備える（図示せず）。光源から出射した光は光学部材によって原稿へと導かれて原稿を照明し、原稿からの反射光は光学部材によってイメージセンサへと導かれる。ＣＣＤは、反射光を電気信号に変換することで、画像データを取得する。画像読取部１２は、原稿搬送部１１によって搬送されてくる複数の原稿を、連続して読み取ることができる。また、図示しない原稿載置台上に１枚ずつ静置される原稿を、１枚ずつ読み取ることもできる。
【００２３】
画像形成部１３は、印刷方式として電子写真方式を採用している。画像形成部１３は、現像剤を用いて画像データを現像する現像部と、現像された画像を用紙上に転写する転写部と、転写後の用紙に画像を定着させる定着部と、未印字の用紙を収容する用紙カセットと、用紙カセットから転写部及び定着部を経てフィニッシャ１４へ、用紙を搬送する用紙搬送部と、を備える（図示せず）。画像形成部１３が印刷に用いる画像データは、画像読取部１２が原稿から取得したものであってもよいし、通信部１５が外部装置から受け取ったものであってもよいし、図示しないファクシミリ通信部が外部ファクシミリ装置から受け取ったものであってもよい。
【００２４】
フィニッシャ１４は、画像形成部１３による印字後の用紙について、後処理として、ソート、ステイプル、及びパンチ等の処理を施すことができる。フィニッシャ１４には、図示しない複数の用紙排出トレイが設けられており、後処理後の用紙は各用紙排出トレイに排出される。本実施形態では、画像形成部１３の動作のみを「印刷」と称することもあるが、広義には、「印刷」に、画像形成及びフィニッシャ１４による後処理を含めるものとする。
【００２５】
通信部１５は、外部のＰＣ（Personal Computer）２とデータ通信を行うことができる。ＰＣ２から受け取った画像データは、必要に応じて画像処理部１７にて印刷用画像データに変換され、画像形成部１３にて印刷可能である。また、画像読取部１２が取得した画像データは、通信部１５を介して、ＰＣ２に送信可能である。
【００２６】
操作パネル１６は、スタートキー等のハードキーと、液晶表示パネル及びタッチセンサを備えるタッチパネルと、を有する（図示せず）。操作パネル１６は、液晶表示パネルによって種々の画面をユーザに提示する表示部として機能すると共に、液晶表示パネルハードキー及びタッチパネルに表示されるソフトキーを介してユーザからの指示を受け付ける指示受付部として機能する。
【００２７】
画像処理部１７は、画像読取部１２が取得した画像データからファイルを作成したり、印刷用のデータを作成したりすることができる。画像処理部１７の詳細については後述する。
【００２８】
記憶装置１８は、画像読取部１２が取得した画像データから作成されたデータファイルを記憶したり、ＰＣ２等の外部装置から受け取ったデータを記憶したりすることができる。
【００２９】
制御装置１９は、複合機１の各部の動作を制御し、画像読取、データ記憶、画像形成、及びデータ通信等の各種機能を実現させる。
【００３０】
以上に述べたように、複合機１は、画像読取、複写、プリンタの機能を備える。また、複合機１はさらに、図示しないファクシミリ通信部を備え、ファクシミリ装置として機能可能となっていてもよい。
【００３１】
なお、本実施形態中、「画像データ」とは、文字、図形、写真等のデータを含む。
【００３２】
（1-2）連続読取
図２を参照して、原稿の連続読取について説明する。図２は、連続読取時の複合機１の動作を示すフローチャートである。
【００３３】
図２に示すように、複合機１は、操作パネル１６によって、ユーザから、保存、通信、又は印刷（画像形成及び後処理）のいずれかのジョブの指定を受け付ける（ステップＳ１０）。その後、連続読取を行うべきと判断すると（ステップＳ１１でＹｅｓ）、制御装置１９は、原稿搬送部１１を制御して、原稿載置トレイ上の原稿束の第１頁から最終頁までを搬送させる（ステップＳ１２）。画像読取部１２は、搬送されてきた原稿から画像を順次読み取って、画像データを取得する（ステップＳ１３）。そして、取得した画像データについて、ステップＳ１０で指定されたジョブを実行する（ステップＳ１４）。このとき、後述するように、連続して読み取った複数の原稿の画像を、２以上のグループに分割して処理することができる。
【００３４】
なお、ステップＳ１１では、原稿搬送部１１が有する上述の原稿センサが原稿を検知したときには、原稿搬送部１１を用いて連続読取を行うべきと判断されるようになっていればよい。
【００３５】
（1-3）原稿セットの認識と画像処理
図３を参照して、連続読み取りして得た画像データから、２以上の原稿セット（２以上のジョブ）を認識するする過程について説明する。図３は、連続読取時の複合機１におけるデータの流れを示すブロック図である。
【００３６】
図３に示すように、画像処理部１７は、画像読取部１２の取得した画像データを低い解像度のデータに変換する解像度変換回路１７１と、解像度変換回路１７１を経た画像データを２値化する２値化回路１７２と、２値化された画像データ及び後述の基準データを記憶するメモリ１７３と、原稿の各頁の２値化された画像データと基準データとを比較し、基準データと所定の同一性を有する頁を、ファイル作成部１７５、印刷用データ作成部１７６、及び制御装置１９等へ通知する比較部１７４と、を備える。
【００３７】
また、画像処理部１７はさらに、比較部１７４の比較結果に基づいて、画像データからデータファイルを作成するファイル作成部１７５、画像データから印刷用データを作成する印刷用データ作成部１７６と、を備える。具体的には、ファイル作成部１７５は、画像データからＰＤＦファイルやＴＩＦＦファイル等、ＰＣ２で表示可能な画像ファイルを作成する。印刷用データ作成部１７６は、ＲＧＢの画像データを、印刷用にＣＭＹＫのデータに変換する。
【００３８】
なお、比較部１７４は、ＯＣＲ（Optical Character Reader）による文字認識や、ドット配列による比較等を行うことのできるものであればよいし、従来公知のパターンマッチングを行うことのできる構成を採用することもできる。それ以外であっても、読み取られた原稿の画像が、基準データと所定の同一性を有するか否かを判断できる構成であれば、適宜採用される。所定の同一性を有することを、「類似」、「同一」、又は「一致する」と表現することがある。同一性の程度は、特に限定されるものではなく、適宜設定可能である。例えば、所定の同一性として、一定割合（６０％以上、７０％以上、８０％、又は９０％）以上の同一性が設定されていてもよい。
【００３９】
また、比較部１７４は、原稿の各頁全体と基準データとを比較してもよいし、各頁中の特定の位置の画像データを基準データと比較して、基準データと類似であるかを判断するようになっていてもよい。詳細は以下の通りである。
【００４０】
自動車検査証、健康保険被保険者証、賃貸契約書、ファクシミリ原稿の送り状のように、１セットの原稿全体又はセット毎の表紙頁の全体が、定型のフォームに則って作成された原稿であれば、前者の判断方法により、各頁全体の画像データを基準データと比較することで、比較部１７４は原稿セットの区切りを認識することができる。
【００４１】
一方、後者の判断方法を採用すれば、原稿の特定の位置に特定の文字列が記載されていれば、比較部１７４は、基準データと類似の原稿であると判断可能である。ここで、「特定の位置」とは、右上、左上、中央、右下、及び左下等であり、「特定の文字列」とは、「自動車検査証」、「賃貸契約書」、「第・・章」、「ＦＡＸ送り状」、若しくは「第・・回  検討会議事録」等の文字列であってもよい。
【００４２】
また、比較部１７４は、各頁と複数の基準データとを比較するようになっていてもよい。これによると、自動車検査証と賃貸契約書など、異なる種類の原稿が重ねられているときであっても、原稿セットの境界を認識することができる。
【００４３】
ファイル作成部１７５は、比較部１７４にて基準データと類似すると判断された頁を表紙として、連続読取によって得た画像データから、複数のデータファイルを作成することができる。また、印刷用データ作成部１７６は、比較部１７４にて基準データと類似すると判断された頁（表紙原稿）の前までの画像データと、表紙原稿以降の画像データとを、別々のジョブとして、異なる条件（例えばカラーとモノクロ）にて処理することができる。
【００４４】
また、比較部１７４における比較結果は制御装置１９にも送られ、制御装置１９は、画像形成部１３、フィニッシャ１４、通信部１５、及び記憶装置１８を制御して、それぞれの機能部において、印刷、データ送信、及び記憶の各処理を、表紙原稿前の画像データと表紙原稿後の画像データとを別々のジョブとして、異なる条件にて実行させることができる。「条件」として、例えば、画像形成部１３の動作条件としては、カラー／モノクロ、画像濃度、集約の有無、及び両面／片面等が、フィニッシャ１４の動作条件では、ソート、ステイプル、及びパンチ等が、データ通信では、送り先、及びファイル形式等が、記憶では、ファイル名、及びファイル形式等が、挙げられる。なお、「印刷条件」とは、画像形成部１３の動作条件のみを意味するときもあるが、広義には、画像形成部１３及びフィニッシャ１４の両方の動作条件を意味する。
【００４５】
また、制御装置１９は、このようにして認識されたジョブの境界を操作パネル１６の液晶表示パネルに表示することができ、操作パネル１６は、これらの境界がユーザの意図するものと一致しているかどうか、ユーザの確認を受け付けることができる。
【００４６】
例えば、制御装置１９は、全頁の画像（簡略化されたものでよい）を、操作パネル１６のタッチパネル上に表示すると共に、基準データと類似の頁、つまり表紙原稿と予測される頁を、他の頁とは色、大きさ、又はコントラスト等を異ならせることで、強調して表示することができる。そして、操作パネル１６は、この表示の通りに原稿を区切って処理してよいかどうかの指示入力を、ユーザから受け付けることができる。
【００４７】
画像処理部１７及び制御装置１９は、ハードウェアによって実現されてもよいし、ソフトウェアによって実現されてもよい。例えば、画像処理部１７及び制御装置１９は、ＣＰＵ（Central Processing Unit）、ＲＯＭ（Read Only Memory）、ＲＡＭ（Random Access Memory）、及びその他の記憶媒体等を備え、画像処理部１７の各種機能は、ＣＰＵがＲＯＭ内のプログラムを読み出して実行することによって実現される。ＲＡＭはＣＰＵの作業領域として機能する。
【００４８】
［第１例］
基準データは、連続読取された原稿のうちの、他の原稿の画像データであってもよい。他の原稿の画像データのうち、１枚目の原稿の画像が基準データとして用いられる場合の複合機１の動作について、図４のフローチャートを参照して説明する。
【００４９】
図４に示すように、上述のステップＳ１３にて得られた各頁の画像データのうち、１頁目の画像データが、基準データとしてメモリ１７３に保存される（ステップＳ２１）。比較結果はファイル作成部１７５、印刷用データ作成部１７６、制御装置１９に出力される（ステップＳ２２）。そして、比較部１７４における比較結果に基づいて、基準データと類似性の高い画像データを有する頁が表紙とされ、ジョブが実行される（ステップＳ２３）。
【００５０】
具体例を図５に示す。原稿の各頁にはＡ〜Ｅのアルファベットが付されており、同一のアルファベットは、各頁の画像が所定の同一性を有することを示す。
【００５１】
図５に示すように、連続で読み取られた全９頁の原稿のうち、第４頁及び第８頁は、第１頁の画像と所定の同一性を有する。この場合、保存ジョブが指定されていれば、ファイル作成部１７５は、第１頁〜第３頁の画像を第１ファイルＦ１、第４頁〜第７頁の画像を第２ファイルＦ２、第８頁〜第９頁の画像を第３ファイルＦ３とする３つのファイルを作成する。記憶装置１８は、制御装置１９の制御の下、これら３つのファイルを記憶する。このとき、ファイル作成部１７５は、各ファイルにファイル名を自動で付すことができる。ファイル名としては、第１ファイルＦ１であれば「20070601_01.pdf」、第２ファイルＦ２であれば「20070601_02.pdf」のように、拡張子の前の本体部分に、各ファイルの番号及び保存された日付等を含めることができる。
【００５２】
以上のように、複合機１は、１回の連続読取で得られた画像データから、先頭頁と類似の画像を表紙とする複数の画像ファイルを２以上取得することができる。
【００５３】
なお、保存ジョブではなく、印刷ジョブが依頼された場合には、比較結果を受けた制御部の制御の下、フィニッシャ１４が、第１頁〜第３頁の複写物、第４頁〜第７頁の複写物、第８頁〜第９頁の複写物を、別々の複写物の束として、ソートしたり、ステイプル処理したりする。
【００５４】
また、複合機１は、制御装置１９の制御の下、第１頁〜第３頁の複写物と、第４頁〜第７頁の複写物と、第８頁〜第９頁の複写物とを、個別のジョブとして、異なる条件にて、印刷用データ作成部１７６により印刷用データを作成し、この印刷用データに基づいて画像形成部１３による画像形成を行い、フィニッシャ１４にて印刷物の後処理を行うことができる。
【００５５】
［第２例］
基準データは、連続読取された原稿のうちの、１枚目の原稿の画像データに限らない。本例では、図６に示すように、比較部１７４によって、連続読取によって得られ、メモリ１７３に記憶されている全頁の画像データを互いに比較する（ステップＳ３１）。そして、画像データが互いに一致する原稿の組合せがあり、かつその組合せが複数である場合には（ステップＳ３２及びステップＳ３３でＹｅｓ）、各組合せに係る画像のうちのいずれを表紙とするかの指示を、操作パネル１６を介してユーザに求める（ステップＳ３４）。このとき、ユーザは画像を複数選択することができる。そして、ユーザが指定した画像に係る組合せに含まれる原稿を表紙として、ジョブが実行される（ステップＳ３４）。画像が一致する原稿の組合せが１つのみである場合には（ステップＳ３２でＹｅｓ、ステップＳ３３でＮｏ）、その組合せに含まれる原稿が表紙とされる（ステップＳ３５）。
【００５６】
具体例を図７に示す。図７に示すように、図５と同様の原稿順序では、第１、第４、及び第８頁の画像が“Ａ”であって、第３、第５、及び第９頁の画像が“Ｃ”である（太線で示す原稿）。そこで、制御装置１９は、操作パネル１６の液晶表示パネルに、読取順序に沿って、各頁の画像を、第１、第３、第４、第５、第８、及び第９頁を強調して表示する。
【００５７】
画像Ａが表紙としてユーザに指定されると、保存ジョブの場合、制御装置１９の制御の下、ファイル作成部１７５は、第１例と同様に３つのファイルＦ１〜Ｆ３を作成する。
【００５８】
一方、画像Ｃが表紙画像として指定されると、ファイル作成部１７５は、第１、第３、第５、及び第９頁を表紙として、４つのファイルＦ１’〜Ｆ４’を作成する。このとき、ファイルＦ１’のみは表紙画像が画像Ａとなる。
【００５９】
また、画像Ａ及びＣの両方が表紙画像として指定されると、ファイル作成部１７５は、第１、第３、第４、第５、第８、及び第９頁を表紙として、６つのファイルを作成する。
【００６０】
［第３例］
基準データは、連続読取された原稿とは別に、予め設定されていてもよい。この場合は、図８に示すように、図４のステップＳ２１及びＳ２２に代えて、比較部１７４は、連続読取によって得られた各頁の画像データをそれぞれ、予め記憶されていた基準データと比較する（ステップＳ４１）。その後は、第１例と同様に、基準データと画像データが一致する原稿を表紙として、ジョブが実行される（ステップＳ４２）。
【００６１】
具体例を図９に示す。図９に示すように、基準データとして画像Ａ及び画像Ｄが設定されているとする。この場合、図５と同一の原稿順序では、第１、第４、及び第８頁の画像が“Ａ”であって、第６頁の画像が画像Ｄなので、保存ジョブでは、第１〜第３頁が第１ファイルＦ１、第４〜第５が第２ファイルＦ２、第６〜第７が第３ファイルＦ３、第８〜第９頁が第４ファイルとして保存される。
【００６２】
なお、複合機１は、連続読取の前に、ユーザの指示を受けて、基準用原稿として予め画像Ａ及び画像Ｄの原稿を読み取っておいて、これを基準データとして用いることができる。また、実際に原稿から画像を読み取るのではなく、特定の文字列、形態等の指定の入力をユーザから受け付けて、これを基準データとして用いることもできる。
【００６３】
（1-4）効果
複合機１は、自動車検査証又は賃貸契約書等、１セット毎に定型の表紙が付されている原稿が、複数セット重ねられて、１つの原稿束とされている場合に、表紙毎に画像データを区切って、区切られた個々の画像データについて、別個にジョブを実行することができる。つまり、１つの原稿束を連続して読み取ることによって取得した画像データを表紙毎に区切って、原稿セット毎に１つのファイルを作成することで、全体として複数のファイルを作成したり、原稿セット毎に複写物をソートしたり、原稿セット毎に印刷条件を変えたりすることができる。ファクシミリ原稿のように、１頁目が一定のフォームに沿って作成される送り状である原稿や、議事録のようにユーザが一定の表紙を用いる原稿についても、同様である。
【００６４】
よって、ユーザは、複数セットの原稿を重ねて、一度に原稿搬送部１１の原稿載置トレイ上に載せればよく、個々の原稿セット毎に原稿束を作って別々に載せたり、原稿セット間に仕切り用のシートを挿入したり、各原稿セットの表紙の角を折ったり、という作業を行う必要はない。
【００６５】
それゆえ、複合機１によると、ユーザにこれらの作業の負担を負わせることなく、また原稿を傷めることもなく、複数セットの原稿を読み取って、ジョブを実行することができる。
【００６６】
〔２〕他の実施形態
（2-1）  第１実施形態では、複合機１を例に挙げたが、例えば、画像読取部と、原稿搬送部と、画像データについて保存、送信、又は印刷等のジョブのいずれかを実行することのできるジョブ実行部と、を有する装置であれば、本発明を適用することができる。
【００６７】
（2-2）  ジョブ実行部として、複合機１は、ファイルを作成するファイル作成部１７５、ファイルを記憶する記憶装置１８、ファイルを送信する通信部１５、印刷を実行する画像形成部１３を備えるが、これらのジョブ実行部の一部のみを備える装置、例えばファイル作成部１７５と記憶装置１８を備えて画像形成部１３を備えない画像読取装置に、本発明を適用することもできる。
【００６８】
（2-3）  以上に述べた各実施形態を組み合わせて得られる技術についても、本発明の技術的範囲に含まれる。
【図面の簡単な説明】
【００６９】
【図１】本発明の実施の一形態に係る複合機１の要部構成を示すブロック図。
【図２】複合機１における連続読取動作の流れを示すフローチャート。
【図３】連続読取時のデータの流れを示すブロック図。
【図４】連続読取時のジョブ認識の流れを示すフローチャート。
【図５】図４のフローにてよってジョブが認識された結果作成されるファイルＦ１〜Ｆ３を示す模式図。
【図６】連続読取時のジョブ認識の流れの他の例を示すフローチャート。
【図７】図６のフローにてよってジョブが認識された結果作成されるファイルＦ１〜Ｆ４、及び基準データを示す模式図。
【図８】連続読取時のジョブ認識の流れのさらに他の例を示すフローチャート。
【図９】図８のフローにてよってジョブが認識された結果作成されるファイルＦ１〜Ｆ３、ファイルＦ１’〜Ｆ４’を示す模式図。
【符号の説明】
【００７０】
１  複合機（画像処理装置）
１１  原稿搬送部
１２  画像読取部
１３  画像形成部
１４  フィニッシャ
１５  通信部
１６  操作パネル
１７  画像処理装置
１７４  比較部
１７５  ファイル作成部
１７６  印刷用データ作成部
１８    記憶装置
１９    制御装置
Ｆ１〜Ｆ４、Ｆ１’〜Ｆ４’    画像ファイル
【図１】
2010034734.tif 000003
【図２】
2010034734.tif 000004
【図３】
2010034734.tif 000005
【図４】
2010034734.tif 000006
【図５】
2010034734.tif 000007
【図６】
2010034734.tif 000008
【図７】
2010034734.tif 000009
【図８】
2010034734.tif 000010
【図９】
2010034734.tif 000011